(57)【要約】【課題】例えばホルムアルデヒドやＮＯｘ等の有害物質を強力に分解除去することができる、新規なフィルターを提供すること。【解決手段】光照射により一重項酸素を生成可能な光増感剤１１を付着させたフィルター１からなる。光増感剤１１としては、メチレンブルー、ローズベンガル、チオニン、エオシン、テトラフェニルポルフィン、フタロシアニン系色素、金属ポルフィン等が好ましく用いられる。【選択図】  図１
2004350935.tif 000002
【特許請求の範囲】
【請求項１】
光照射により一重項酸素を生成可能な光増感剤を付着させてなるフィルター。
【請求項２】
請求項１記載のフィルターにおいて、光増感剤が、メチレンブルー、ローズベンガル、チオニン、エオシン、テトラフェニルポルフィン、フタロシアニン系色素、金属ポルフィンのいずれか一以上であることを特徴とするフィルター。
【請求項３】
請求項１又は２記載のフィルターにおいて、光増感剤の付着量が、０．０５〜５ｇ／ｍ２であることを特徴とするフィルター。
【請求項４】
請求項１〜３のいずれか記載のフィルターにおいて、光照射が、自然光により行われることを特徴とするフィルター。
【請求項５】
請求項１〜３のいずれか記載のフィルターにおいて、光照射が、低圧水銀ランプ、中圧水銀ランプ、高圧水銀ランプ、ナトリウムランプ、タングステンハロゲンランプ、白熱灯、蛍光灯、又はＬＥＤにより行われることを特徴とするフィルター。
【請求項６】
請求項１〜５のいずれか記載のフィルターにおいて、フィルターを構成する繊維が、アクリル繊維、ポリエステル繊維、又はポリエチレン繊維であって透明性を有するものであることを特徴とするフィルター。
【請求項７】
請求項１〜５のいずれか記載のフィルターにおいて、フィルターを構成する繊維が、生分解性の繊維であることを特徴とするフィルター。
【発明の詳細な説明】
【０００１】
【発明の属する技術分野】
本発明は、フィルターに関する。さらに詳しくは、例えば空気清浄機や、半導体工場、無菌室等で使用される脱臭・除菌フィルター等の技術分野に属する。
【０００２】
【従来の技術】
従来、工場や、一般家庭の室内、自動車内等において、悪臭や有害化学物質、粉塵を除去するため種々のフィルターが設置されている。
【０００３】
上記フィルターとしては、不織布に対象物質を吸着除去するための吸着剤を付着させたものや、フィルターを帯電させて静電気力により粉塵を吸着する方式のものが知られている。例えば、（特許文献１）には、少なくともアクリルシリコン樹脂を含むバインダーによって、不織布基材に臭気成分を吸着除去する吸着剤を固着して形成される脱臭層からなることを特徴とする脱臭フィルターが記載されている。また、（特許文献２）には、エレクトレット層を含む基材及び抗菌防黴層を含む基材をハニカム状に成形加工してなる空気清浄化フィルターが記載されている。
【０００４】
これら従来のフィルターは、粉塵等の対象物質をフィルター表面でろ過捕集することが主な目的であり、有害物質を分解する機能は有していないか、もしくは不十分なものであった。
【０００５】
【特許文献１】
特開２００３−７９７０６号公報
【特許文献２】
特開２０００−２６２８２０号公報
【０００６】
【発明が解決しようとする課題】
そこで本発明は、上記従来の状況に鑑み、例えばホルムアルデヒドや、ＳＯｘ、ＮＯｘ等の有害物質を強力に分解除去することができる、新規なフィルターを提供することを目的とする。
【０００７】
【課題を解決するための手段】
上記課題を解決するため、本発明のフィルターは、請求項１として、光照射により一重項酸素を生成可能な光増感剤を付着させたことを特徴とする。
【０００８】
上記構成によれば、光増感剤が、光照射を受けて励起され、近傍の酸素を活性化して一重項酸素を生成する。一重項酸素（１Ｏ２）は、活性酸素の一種で酸化力を有しており、この一重項酸素がフィルターを通過する悪臭成分、有害化学物質に有効に作用して無害化する。
【０００９】
また、請求項２は、請求項１記載のフィルターにおいて、光増感剤が、メチレンブルー、ローズベンガル、チオニン、エオシン、テトラフェニルポルフィン、フタロシアニン系色素、金属ポルフィンのいずれか一以上であることを特徴とする。
【００１０】
上記構成によれば、一重項酸素生成の量子収率等を考慮して、光増感剤の具体的な種類が特定される。
【００１１】
また、請求項３は、請求項１又は２記載のフィルターにおいて、光増感剤の付着量が、０．０５〜５ｇ／ｍ２であることを特徴とする。
【００１２】
上記構成によれば、一重項酸素の発生効率を高める観点から、光増感剤の付着量が最適化される。
【００１３】
また、請求項４は、請求項１〜３のいずれか記載のフィルターにおいて、光照射が、自然光により行われることを特徴とする。
【００１４】
上記構成によれば、自然光を利用して光増感剤を励起するため、エネルギーを消費することなく有害物質の分解が行われる。
【００１５】
また、請求項５は、請求項１〜３のいずれか記載のフィルターにおいて、光照射が、低圧水銀ランプ、中圧水銀ランプ、高圧水銀ランプ、ナトリウムランプ、タングステンハロゲンランプ、白熱灯、蛍光灯、又はＬＥＤにより行われることを特徴とする。
【００１６】
上記構成によれば、各種光源をフィルターの近傍に設置して光増感剤を励起するので、一重項酸素が効率良く発生する。
【００１７】
また、請求項６は、請求項１〜５のいずれか記載のフィルターにおいて、フィルターを構成する繊維が、アクリル繊維、ポリエステル繊維、又はポリエチレン繊維であって透明性を有するものであることを特徴とする。
【００１８】
上記構成によれば、透明性を有する繊維でフィルターを構成することにより、光増感剤に照射される光量が増加して、一重項酸素がより効率良く生成する。
【００１９】
さらに、請求項７は、請求項１〜５のいずれか記載のフィルターにおいて、フィルターを構成する繊維が、生分解性の繊維であることを特徴とする。
【００２０】
上記構成によれば、フィルターを土中に廃棄した場合に、基材が分解して環境に悪影響を与えないとともに、光増感剤から生成する一重項酸素が土中のＰＣＢ等の有害物質に作用して分解する。
【００２１】
【発明の実施の形態】
以下、本発明を詳細に説明する。
本発明のフィルターの一例を図１に示す。図１に示すように、本発明に係るフィルター１は、光照射により一重項酸素を生成可能な光増感剤１１を基材に付着させて概略構成されている。光増感剤１１は、通常、基材を構成する繊維１０の表面を被覆するように付着しているが、繊維１０の内部に一部含まれる場合もある。
【００２２】
光増感剤１１は、光照射を受けると励起され、そのエネルギーによって近傍に存在する酸素を活性化し、一重項酸素に変換するものである。一重項酸素（１Ｏ２）とは、スーパーオキシドラジカル（Ｏ２−）、ヒドロキシラジカル（ＯＨ・）等ともに活性酸素種の一種であり、酸化力に富むので、フィルターを通過するホルムアルデヒド、ＳＯｘ、ＮＯｘ等の有害化学物質や細菌類、悪臭物質を効果的に分解除去することができる。また、一重項酸素の寿命は、周囲の環境にもよるが４ｍｓｅｃ程度と短いため、発生箇所から数ｍｍ〜数ｃｍ程度までしか到達せず、それゆえに環境に悪影響を与えない。
【００２３】
光増感剤１１としては、光照射により励起して一重項酸素を生成可能な物質であれば適用可能である。具体的には、メチレンブルー、ローズベンガル、チオニン、エオシン、テトラフェニルポルフィン、フタロシアニン系色素、金属ポルフィン等の有機色素や金属錯体、又はこれらの混合物が挙げられる。その中でも、メチレンブルー、及びローズベンガルは、三重項酸素生成の量子収率及び一重項酸素生成の量子収率が高いため、特に好ましく用いられる。なお、上記のような光増感剤は、いずれも食品添加物、化粧品、医薬品等に従来使用されている色素であり、安全性が高いものである。
【００２４】
また、光増感剤１１は、必要に応じて、分子中にキレート基を導入することができる。これにより、後述のようにフィルター１を土中に廃棄した場合に、重金属に配位して錯体を形成し、固定化することができる。
【００２５】
光増感剤１１を付着させるフィルター１の基材としては、各種繊維からなる不織布、織布等を用いることができる。繊維１０の種類としては、通常フィルターとして使用される材料であれば適用可能であり、例えば、アクリル繊維、ポリエステル繊維、ポリエチレン繊維、ポリプロピレン繊維、ポリアミド繊維、ビニリデン繊維、ポリビニルアルコール繊維、ビスコースレーヨン等の再生繊維、アセテート等の半合成繊維、炭素繊維、ガラス繊維等の無機繊維、綿、絹等の天然繊維、あるいはこれらの複合繊維を挙げることができる。その中でも、透明性を有するアクリル繊維、ポリエステル繊維、又はポリエチレン繊維は好適に用いられる。繊維１０が透明であると、光が繊維１０を通して、あるいは繊維１０により反射されて光増感剤１１に照射されるので、光増感剤１１に照射される光量が増加し、一重項酸素の生成効率を高めることができる。
【００２６】
また、繊維１０として、生分解性の繊維を好適に用いることができる。これにより、フィルター１を土中に廃棄した場合に、繊維が分解して環境に悪影響を与えないとともに、太陽等からの光照射を受けて、光増感剤１１がなおも一重項酸素を生成し、例えばＰＣＢ、ダイオキシン、トリクロロエタン等の有害物質を分解、無害化することができる。それゆえ、フィルターとしての使用から廃棄後まで総合的に環境の浄化に貢献することができる。
生分解性の繊維としては、従来知られた種々の繊維を適用することができ、例として、綿、絹、レーヨン、キュプラ等の天然系の繊維や、ポリカプロラクトン、ポリブチレンサクシネート、ポリエチレンサクシネート、ポリ乳酸等の脂肪族ポリエステル、ポリビニルアルコール、ポリアミノ酢酸、あるいはキトサン、澱粉、竹等を原料とする繊維等を挙げることができる。
【００２７】
繊維１０の径は、フィルターの用途等を考慮して適宜選択することができる。一般的には、０．５〜１０μｍ程度が好ましい。繊維径が０．５μｍ未満であると、剛性が低下し、また単位面積当りの本数が多くなって圧力損失が大きくなる傾向がある。また、１０μｍを超えると、繊維本数が少なくなり、捕集効率が低下する場合があるので好ましくない。
【００２８】
上記繊維から不織布、織布等を形成するに際しては、その方法は従来知られた一般的な方法を適宜採用することができる。例えば、不織布の作製法として、スパンボンド法、ケミカルボンド法、サーマルボンド法等を挙げることができる。
【００２９】
フィルター１の目付は、１０〜１００ｇ／ｍ２が好ましく、より好ましくは２０〜８０ｇ／ｍ２である。目付が１０ｇ／ｍ２未満であると、剛性が低くプリーツ加工性が悪くなる。また、光増感剤１１と酸素とが接触し難くなり、一重項酸素の生成効率が低下する傾向がある。また、１００ｇ／ｍ２を超えると、通気性を損なうため好ましくない。
【００３０】
フィルター１の通気度は、用途等に応じて適宜設定することができる。具体的には、１０〜１５００ｃｃ／ｃｍ２／ｓｅｃ程度とすることが好ましい。１０ｃｃ／ｃｍ２／ｓｅｃ未満であると、フィルターとしての通気性が悪くなり、逆に１５００ｃｃ／ｃｍ２／ｓｅｃを超えると、光増感剤１１と酸素とが十分に接触せず、一重項酸素の生成効率が低下するため不適である。
【００３１】
フィルター１の厚みは、厚過ぎると圧力損失が大きくなり、また、付着した光増感剤１１に光が十分に行き渡らず、それゆえ一重項酸素の生成効率が低下するため不適である。逆に薄過ぎると、剛性が低くプリーツ加工性が悪くなり、また光増感剤１１の付着量が減って一重項酸素の生成効率がやはり低下するため、これらのバランスを考慮して適宜設定される。具体的には、０．１〜２ｍｍ程度とすることが好ましく、就中０．５〜１．５ｍｍである。なお、フィルター１の基材として、織布又は不織布以外にも、３次元的に網目を形成した構造体を用いることができる。この場合には、光増感剤１１を構造体の内部まで付着させても、光が網目を通して内部まで到達し一重項酸素を生成可能であるため、上記厚み範囲に関わらず、厚みを大きくすることができる。
【００３２】
光増感剤１１を付着させる方法は、例えば、基材となる不織布等に塗布する方法、含浸させる方法、繊維１０に練り込む方法等を適宜選択できる。また、塗布又は含浸させる際には、ディップコーター、スプレーコーター等の各種コーターを用いることができる。
【００３３】
具体的には、例えば、光増感剤１１を水、アルコール等と混合して溶液を作製し、その溶液を基材に塗布・含浸させ、その後乾燥させることにより付着させることができる。また、必要に応じて、各種バインダー、ｐＨ調整剤、分散剤、消泡剤等の添加剤を併用しても良い。バインダーの例としては、ポリエステル、ポリプロピレン、ポリビニルアルコール、ポリテトラフルオロエチレン等のフッ素系樹脂、シリコーン樹脂、フェノール樹脂、フェノキシ樹脂、ブチラール樹脂、ポリアクリル酸エステル、ポリアクリルニトリル、スチレン−アクリル共重合体、スチレン−ブタジエン共重合体、エチレン−酢酸ビニル共重合体等の共重合体、澱粉等の天然高分子、カルボキシメチルセルロース等の変性高分子、あるいはヘクトライト、モンモリロナイト、カオリナイト等の天然粘土鉱物、コロイダルシリカ、コロイダルアルミ等の無機系バインダーを挙げることができ、特に光増感剤１１への光照射を阻害しないよう透明性を有し、耐候性に優れるものが好ましい。
【００３４】
フィルター１における光増感剤１１の付着量は、少な過ぎると一重項酸素が十分に生成しないため不適であり、逆に多過ぎても、励起した光増感剤１１の自己消光によって一重項酸素の生成効率はむしろ低下する場合がある。それゆえ、これらのバランスを考慮して適宜設定することが好ましい。具体的には、光増感剤１１の種類によっても異なるが、０．０５〜５ｇ／ｍ２、就中０．５〜２ｇ／ｍ２程度の付着量とすることが好ましい。
【００３５】
フィルター１は、太陽からの自然光が照射されるように構成することにより一重項酸素を生成可能である。また、自然光を利用するのではなく、又は自然光とともに、フィルター１の近傍に人工光源を設置し、あるいは人工光源をフィルター１中に埋め込み、その光源からの光を照射しても良い。光源は、光増感剤１１の吸収波長を考慮して適宜選択することができ、具体的には、低圧水銀ランプ、中圧水銀ランプ、高圧水銀ランプ、ナトリウムランプ、タングステンハロゲンランプ、白熱灯、蛍光灯、ＬＥＤ等を挙げることができる。特に、光増感剤１１としてメチレンブルーを用いる場合はタングステンハロゲンランプが、またローズベンガルを用いる場合は高圧水銀ランプが、一重項酸素の生成効率が高いため好適に用いられる。
【００３６】
フィルター１は、必要に応じて、エレクトレット化処理を施すことができる。これにより、タバコの煙や自動車の排気ガス等の微細な粉塵を静電気力によって効率良く捕集し、表面に保持することができる。したがって、捕集した物質と一重項酸素とを十分な時間反応させることができ、有害物質の分解除去能を高めることができる。エレクトレット化する手段としては、従来知られた方法を適宜採用することができ、具体的には、フィルター１を電極上に設置し、その上から針電極又はワイヤー電極で高電圧を印加し、コロナ放電を行う方法により好適に行うことができる。その他、熱エレクトレット、ラジオエレクトレット、メカノエレクトレット、フォトエレクトレット、マグネットエレクトレット等の手段に拠っても良い。
【００３７】
フィルター１が、十分に薄くない場合、例えば３次元的で嵩高い基材を用いる場合には、コロナ放電等によるエレクトレット化処理では安定した分極が得られないことがある。そのような場合には、例えば、フィルムをコロナ放電等によりエレクトレット化し、そのフィルムを繊維状に断裁し、その繊維でフィルターを形成する方法や、紡糸時に高電圧を印加してエレクトレット化した繊維を作製し、その繊維でフィルターを形成する方法等により十分に帯電させることができる。
【００３８】
フィルター１には、光増感剤１１の機能を損なわない範囲で、各種の吸着剤を付着させることができる。吸着剤としては、活性炭、天然もしくは合成ゼオライト、シリカ、タルク、活性アルミナ、活性白土、酸化鉄、酸化亜鉛、酸化マグネシウム、ケイ酸塩、及びこれらの混合物等を挙げることができる。また、吸着剤は、多孔質であることが好ましい。多孔質であると、表面積が大きくなり吸着能が向上するとともに、光増感剤１１の担体としても機能し、表面に光増感剤１１を微細に分散吸着させることができるので、光を取り込みやすくなり、一重項酸素の生成効率が向上する。
【００３９】
上記吸着剤をフィルター１に付着させる方法としては、フィルター表面に塗布する方法、含浸させる方法、あるいは繊維１０に練り込む方法等により適宜行うことができる。特に、塗布又は含浸による方法が好ましい。なお、吸着剤を付着させる工程は、光増感剤１０を付着させる工程の前後いずれでも良いが、光増感剤１１の付着工程を後に行う方が、光増感剤１１が外部に対し露出した状態になり易いため好ましい。
【００４０】
フィルター１には、上記吸着剤の他にも、光増感剤１１の機能を損なわない範囲で、さらに公知の抗菌剤、消臭剤、防カビ剤、吸湿剤、調湿剤、乾燥剤、芳香剤、抗ウイルス剤、防虫剤等の各種薬剤を付着させることができる。具体的には、抗菌剤として、銀、亜鉛、リン酸カルシウム等を含む無機抗菌剤、ベンズイミダゾール系、クロロヘキシジン系、イソチアゾリン系、ピリチオン系、キチン・キトサン等の有機・高分子系抗菌剤、茶や柿等から抽出されるカテキン、孟宗竹抽出エキス、ヒノキチオール等の天然物由来の抗菌剤、及びこれらの混合物が挙げられる。また、消臭剤としては、カテキン、タンニン、フラボノイド等を用いたもの等を挙げることができるが、これらに限定されるものではない。付着させる方法は、上述の吸着剤の場合と同様の方法により行うことができる。
【００４１】
本発明のフィルター１は、分解除去能に優れることから長期間使用することができるが、硫酸イオンや硝酸イオン等が付着することにより一重項酸素の生成効率が次第に低下する場合がある。そのような場合にイオンを除去して機能を回復できるように、フィルター１は水洗可能であることが好ましい。水洗可能とするためには、フィルター１の基材である不織布等として耐水性を有するものを使用し、また、光増感剤１１が水中に流出しないように確実に付着させることが好ましい。
【００４２】
また、フィルター１は、図１のごとく平面状のまま使用しても良いが、必要に応じてブリーツ加工を施しても良い。これにより、表面積を増加させて塵埃の捕集能を高め、一重項酸素による無害化処理をより効率良く行うことができる。
【００４３】
なお、本発明のフィルター１は、酸素ないし空気が自然風として接触・通過するだけで一重項酸素を生成させることができるが、より有害物質の処理効率を高めるために必要に応じて、強制的に通気することもできる。通気する手段は特に限定されるものではなく、例えば軸流型、プロペラ型、ターボ型、シロッコ型、ラジアル型、クロスフロー型等の各種ファンモータと組み合わせる方法、換気扇等の排気ファンやエアコン等の空調機から送られる風を利用する方法、熱対流を利用する方法、自動車の移動に伴い生じる気流を利用する方法、イオン風（無声放電方式を用いて生成される、マイナスイオンとオゾンとを含む空気）を導入する方法等を挙げることができる。
【００４４】
さらに、本発明のフィルター１は、例えば、エレクトレットフィルター等の、各種の除塵フィルター、抗菌フィルター、及び脱臭フィルター等の他のフィルターと適宜併用することができる。併用する場合には、これらの各種フィルターと本発明のフィルター１とを貼り合わせたり、又は枠付け加工時に一緒に取り付けて複合フィルターとして使用することができる。なお、一重項酸素を確実に生成させるため、フィルター１の表面に照射される光は阻害しないことが望ましい。また、上述のように、フィルター１の近傍に人工光源を配置する場合には、図２に示すように、本発明のフィルター１と他のフィルター２との間に配置することができる。この場合の人工光源３としては、ＬＥＤ等の熱を発生しないものが好適である。なお、ＬＥＤ等の点光源は、光拡散板・散光板等と組み合わせることにより、フィルター１に均一に光照射されるようにしても良い。この他、図３に示すように、ＬＥＤ等の人工光源３をフィルター１中に埋め込んでも良い。
【００４５】
以上のように本発明のフィルター１は、空気清浄化フィルター等の、気体をろ過する目的で主に使用されるが、その他にも、土壌浄化用のフィルター、あるいは熱帯魚等の水槽浄化用等、水中に設置するフィルターとしても使用することができる。これにより、ＰＣＢ、ダイオキシン、トリクロロエタン、ＤＤＴ、ビスフェノール、ノニフェノール、アセトアルデヒド、トリハロメタン、魚類病原菌等の、土壌・水中に残留する有害物質を好適に除去することができる。
【００４６】
【実施例】
次に、実施例及び参考例により本発明をさらに詳細に説明するが、これに限定されるものではない。
（実施例１）
まず、繊維径１５μｍ、繊維長２０〜８０ｍｍの透明なポリエステル繊維を、カード機によって開繊して繊維ウェブを形成し、クロスワイヤーにより交差積層させて、繊維目付３５ｇ／ｍ２、厚さ約１ｍｍ、大きさ７５ｃｍ２の不織布を得た。
続いて、光増感剤として粒径３〜５μｍのメチレンブルーを、メタノールに溶解させて５ｗｔ％の溶液とし、この溶液に上記の不織布を浸漬して引き上げ、８０℃で１時間乾燥させることによって、光増感剤が付着した目的のフィルターを得た。フィルターに対する光増感剤の付着量は、約１．５ｇ／ｍ２であった。
【００４７】
次に、得られたフィルターについて、ホルムアルデヒドの分解能を測定した。試験方法は、まず、透明なアクリル製の実験チャンバー（容積３．４ｍ３、１．５ｍ×１．５ｍ×１．５ｍ）を作製し、このチャンバー内に、上記フィルターを備えた空気清浄機を設置した。続いて、ホルムアルデヒドを所定濃度になるように導入後、空気清浄機を運転し、１時間経過毎のチャンバー内のホルムアルデヒド濃度を測定した。なお、フィルターは、チャンバー外からの自然光がフィルターの一方の面に均一に当たるように設置した。また、チャンバー内の空気を均一に拡散させるため、小型ファンを内部に設置した。さらに、チャンバー内の温湿度は常時モニターし、約２５℃、３０％から大きく変化しないことを確認した。ホルムアルデヒドは、標準ガス発生器を用いてホルマリン溶液から揮発導入し、チャンバー内の初期濃度を厚生労働省指針値を上回る０．１８〜０．２０ｐｐｍの範囲に設定した。ホルムアルデヒドの濃度設定は、ＤＮＰＨ−Ａｃｔｉｖｅ法により行った。
実験の結果、ホルムアルデヒドの濃度は、１時間以内に半減し、８時間経過時点で測定限界を下回った。これにより、本発明のフィルターはホルムアルデヒドを効果的に分解除去することがわかった。
【００４８】
（実施例２）
メチレンブルーを、粒径約５μｍのローズベンガル（フィルターに対する付着量は１．０ｇ／ｍ２）に替えた以外は、上記実施例１と同様にして目的のフィルターを作製した。得られたフィルターについて、上記と同様の試験を行った。なお、チャンバー内には高圧水銀ランプを設置し、フィルター面に照射されるようにした。その結果、１時間以内にホルムアルデヒドはほぼ消失することがわかった。
【００４９】
（参考例１）
上記実施例１で作製したフィルターについて、一重項酸素の生成量を測定した。測定方法は、まず、２，３−ジメチルインドール（ＤＭＩ）２０ｍｍｏｌをエチレングリコール５００ｍｌに溶解させ、その溶液内にフィルターを設置し、溶液底面から酸素を３００ｍｌ／ｍｉｎの流速で吹き込み、生成した一重項酸素によってＤＭＩが２−アセチルアセトアミドに変換された量を液体クロマトグラフィーにより測定し、その変換量から一重項酸素の生成量を定量した。なお、フィルターの近傍にタングステン・ハロゲンランプを設置し、測定中にフィルター面に照射されるようにした。その結果、１０分間で、約２ｍｍｏｌの一重項酸素が生成していることがわかった。
【００５０】
【発明の効果】
以上、本発明に係るフィルターは、光増感剤を付着させたことにより、反応性に富む一重項酸素を発生させ、フィルターを通過する悪臭成分、有害化学物質を分解し無害化することができる。
このフィルターを工場や室内等に設置すれば、例えばホルムアルデヒドや、ＳＯｘ、ＮＯｘ等の有害物質を強力に分解除去することができ、環境の浄化に大きく貢献することができる。
【図面の簡単な説明】
【図１】本発明に係るフィルターの一例を示す拡大図である。
【図２】人工光源の配置位置の一例を示す図である。
【図３】人工光源の配置位置の一例を示す図である。
【符号の説明】
１    フィルター
１０  繊維
１１  光増感剤
２    他のフィルター
３    人工光源
【図１】
2004350935.tif 000003
【図２】
2004350935.tif 000004
【図３】
2004350935.tif 000005